(57)【要約】【課題】本発明は、バウンス撮影で用いる反射体の選択肢を増やすことで、気に入った画像（あるいはストロボ光の好ましい照射条件）を得る可能性を高めることができるストロボ装置を提供する。【解決手段】ストロボ本体部９に対する発光部１０の角度姿勢を可変とすることで、ストロボ光を天井や壁等の反射体に照射し、その反射光を被写体に照射して撮影を行うバウンス撮影のためのストロボ装置２は、天井や壁といった複数の反射体の中から特定の反射体を選択するモードを有し、選択された反射体に対する発光部１０のバウンス角度を演算し、バウンス撮影を行うに当たり、発光部１０の角度がバウンス角度となるように制御する。【選択図】図６
2014038268.tif 000002
【特許請求の範囲】
【請求項１】
ストロボ本体部と、該ストロボ本体部に回転可能に連結される発光部と、前記ストロボ本体部に対する前記発光部の角度姿勢を変更可能とする可変機構と、該可変機構を駆動する駆動部と、該駆動部を制御する制御部とを備え、ストロボ光を天井や壁等の反射体に照射し、その反射光を被写体に照射して撮影を行うバウンス撮影のためのストロボ装置であって、
前記制御部は、複数の前記反射体の中から特定の反射体を選択するモードと、該モードにより選択された反射体に対する前記発光部のバウンス角度を演算する演算部とを有し、バウンス撮影を行うに当たり、前記発光部の角度が前記バウンス角度となるように前記駆動部を制御することを特徴とするストロボ装置。
【請求項２】
前記ストロボ本体部、前記発光部又は撮像装置に設けられ、前記ストロボ本体部、前記発光部又は前記撮像装置と前記被写体との間の距離情報を第１の距離情報として取得する第１の測距手段と、
前記発光部に設けられ、前記発光部と前記選択された反射体との間の距離情報を第２の距離情報として取得する第２の測距手段と、
前記ストロボ本体部又は前記発光部に設けられ、前記発光部の角度情報を取得する角度検出部とをさらに備え、
前記演算部は、前記第１の距離情報及び前記第２の距離情報に基づき、前記発光部の前記バウンス角度を演算し、
前記制御部は、バウンス撮影を行うに当たり、前記バウンス角度及び前記発光部の角度情報に基づき、前記発光部の角度が前記バウンス角度となるように前記駆動部を制御する請求項１に記載のストロボ装置。
【請求項３】
前記反射体は、少なくとも天井及び壁の中から選択される請求項１又は請求項２に記載のストロボ装置。
【請求項４】
請求項１乃至請求項３のいずれか１項に記載のストロボ装置を備えることを特徴とする撮像装置。
【発明の詳細な説明】
【技術分野】
【０００１】
本発明は、撮像装置に装着され、しかも、発光部の角度姿勢を変更可能なストロボ装置（照射方向角度可変式のストロボ装置）と、このストロボ装置を備えた撮像装置とに関する。
【背景技術】
【０００２】
従来から、より自然な画像を得るために、ストロボ装置の発光部からストロボ光を天井や壁などの反射体に照射して拡散させ、被写体を間接的に照明して撮影するバウンス撮影が行われている。バウンス撮影では、発光部の照射面を被写体とは正対させず、天井や壁などの反射体のある所望の方向に向けて撮影する。
【０００３】
そして、発光部が常に反射体のある方向に向いてストロボ光を照射できるように、ストロボ装置の制御部は、撮影レンズの光軸方向である撮影方向とストロボ光を照射する照射方向（反射体のある所望の方向）とのなすバウンス角度を自動的に制御する（特許文献１参照）。この特許文献１に記載されているストロボ装置は、天井と被写体とのそれぞれに撮像装置の撮像レンズを向けてオートフォーカス測距して、それらの距離に基づいてバウンス角度を設定している。
【先行技術文献】
【特許文献】
【０００４】
【特許文献１】特開２００９−１６３１７９号公報
【発明の概要】
【発明が解決しようとする課題】
【０００５】
しかしながら、最適なバウンス撮影の条件は、反射体を天井とする場合に限られない。場合によっては、例えば壁を反射体としてバウンス撮影を行うことが有利であることもある。これに対し、上記特許文献１に記載されているストロボ装置では、反射体を切り替えることが想定されていない。
【０００６】
本発明は、かかる事情に鑑みてなされたもので、バウンス撮影で用いる反射体の選択肢を増やすことで、気に入った画像（あるいはストロボ光の好ましい照射条件）を得る可能性を高めることができるストロボ装置及び撮像装置を提供することを課題とする。
【課題を解決するための手段】
【０００７】
本発明に係るストロボ装置は、ストロボ本体部と、該ストロボ本体部に回転可能に連結される発光部と、ストロボ本体部に対する発光部の角度姿勢を変更可能とする可変機構と、該可変機構を駆動する駆動部と、該駆動部を制御する制御部とを備え、ストロボ光を天井や壁等の反射体に照射し、その反射光を被写体に照射して撮影を行うバウンス撮影のためのストロボ装置であって、制御部は、複数の前記反射体の中から特定の反射体を選択するモードと、該モードにより選択された反射体に対する発光部のバウンス角度を演算する演算部とを有し、バウンス撮影を行うに当たり、発光部の角度がバウンス角度となるように駆動部を制御することを特徴とする。
【０００８】
かかる構成によれば、制御部が駆動部を制御し、駆動部が可変機構を駆動することにより、ストロボ本体部に対する発光部の角度姿勢が変更される。そして、特定の反射体が選択されると、この反射体に対するバウンス角度が演算され、このバウンス角度に基づいて発光部の角度姿勢が自動的に変更される。反射体を別のものに選択すると、この新たな反射体に対するバウンス角度が演算され、この新たなバウンス角度に基づいて発光部の角度姿勢が自動的に変更される。
【０００９】
ここで、本発明に係るストロボ装置の一態様として、ストロボ本体部、発光部又は撮像装置に設けられ、ストロボ本体部、発光部又は撮像装置と被写体との間の距離情報を第１の距離情報として取得する第１の測距手段と、発光部に設けられ、発光部と選択された反射体との間の距離情報を第２の距離情報として取得する第２の測距手段と、ストロボ本体部又は発光部に設けられ、発光部の角度情報を取得する角度検出部とをさらに備え、演算部は、第１の距離情報及び第２の距離情報に基づき、発光部のバウンス角度を演算し、制御部は、バウンス撮影を行うに当たり、バウンス角度及び発光部の角度情報に基づき、発光部の角度がバウンス角度となるように駆動部を制御するようにすることができる。
【００１０】
かかる構成によれば、演算部は、第１の測距手段が取得した第１の距離情報及び第２の測距手段が取得した第２の距離情報に基づいてバウンス角度を演算する。そして、制御部は、ストロボ本体部又は発光部の現在の角度姿勢に関係なく、演算部が演算したバウンス角度と角度検出部が取得した発光部の角度情報とに基づいて、発光部の角度がバウンス角度となるように、駆動部を制御する。そのため、発光部は正確にバウンス角度に設定される。
【００１１】
そして、バウンス撮影で用いる反射体として、少なくとも天井及び壁の中から選択されるようにすることができる。
【００１２】
かかる構成によれば、天井が反射体として選択された場合、天井を基準としたバウンス角度に基づいて発光部の角度が設定され、一方、壁が反射体として選択された場合、壁を基準としたバウンス角度に基づいて発光部の角度が設定される。壁も撮影者の立ち位置から見て左側の壁と右側の壁とがあるので、それぞれを選択できるようにしてもよい。
【００１３】
また、本発明に係る撮像装置は、上記ストロボ装置を備えることを特徴とする。
【発明の効果】
【００１４】
以上の如く、本発明によれば、バウンス撮影で用いる反射体の選択肢を増やすことで、気に入った画像（あるいはストロボ光の好ましい照射条件）を得る可能性を高めることができる。
【図面の簡単な説明】
【００１５】
【図１】本発明の一実施形態に係る撮像装置の構成を示すブロック図
【図２】同実施形態に係るストロボ装置の側面図
【図３】同実施形態に係るストロボ装置の上面図
【図４】（ａ）同実施形態に係るストロボ装置が設定可能な上下方向の照射範囲を説明する説明図、（ｂ）同実施形態に係るストロボ装置が設定可能な左右方向の照射範囲を説明する説明図
【図５】同実施形態に係るストロボ装置を用いてバウンス撮影を行う室内の概念図
【図６】（ａ）同実施形態に係るストロボ装置の第１の距離を測距しているときの発光部の鉛直方向の角度を示す説明図、（ｂ）同実施形態に係るストロボ装置の第２の距離を測距しているときの発光部の鉛直方向の角度を示す説明図、（ｃ）同実施形態に係るストロボ装置のバウンス撮影時の発光部の鉛直方向の角度を示す説明図
【発明を実施するための形態】
【００１６】
本発明に係る撮像装置及びストロボ装置の一実施形態について、図１〜図６を参酌しつつ、説明する。本実施形態に係る撮像装置１は、図１に示すように、被写体にストロボ光を照射するストロボ装置２を装着可能に構成している。撮像装置１は、被写体を撮影する撮影機能部３と、ストロボ装置２及び撮影機能部３を制御する制御部４と、被写体を撮影した画像などを表示する表示部５と、撮影条件の設定や電源を切り換えるための操作部６と、周辺機器との間で画像データなどを入出力するための周辺Ｉ／Ｆ７と、ストロボ装置２を発光させて被写体を撮影するためにユーザが操作するシャッター８とを備えている。
【００１７】
ストロボ装置２は、図２及び図３に示すように、ストロボ本体部９と、ストロボ本体部９に回転可能に連結され、閃光放電管１１が収納されて外部へ発光する発光部１０と、発光部１０の角度姿勢を変更可能とする可変機構１２と、可変機構１２を駆動する駆動部１３と、ストロボ本体部９に対する発光部１０の角度を検出する角度検出部１４と、ストロボ装置を制御する制御部１５と、ストロボ本体部９に設けられ、各種設定値を入力したり、各種モードを選択するための操作部１６と、距離センサ１７とを備えている。
【００１８】
ストロボ本体部９は、矩形状に形成された筐体であり、その上面側に発光部１０を回転可能に連結し、その下面側に撮像装置１を連結可能に構成されている。ストロボ本体部９は、正面が撮像装置１の撮影方向Ａ（撮像レンズの光軸方向）を向くように撮像装置１に連結されている。
【００１９】
発光部１０は、略矩形状に形成された筐体であり、一方の面に閃光放電管１１が発光した光を照射する開口部１０ａを備えている。発光部１０は、鉛直方向Ｂに対する開口部１０ａの傾斜角度姿勢を変更するなどして、ストロボ光の照射方向Ｃを変更可能に構成されている。
【００２０】
可変機構１２は、図４（ａ）及び図４（ｂ）に示すように、ストロボ本体部９と発光部１０とを回転可能に連結している。具体的には、可変機構１２は、ストロボ本体部９の幅方向Ｄに沿って設けられる横軸Ｘを中心に鉛直方向Ｂに回転可能な鉛直方向可変機構１８と、ストロボ本体部９の上下方向Ｅ（高さ方向）に設けられる縦軸Ｙを中心に水平方向Ｆに回転可能な水平方向可変機構１９とを備えている。
【００２１】
鉛直方向可変機構１８は、図４（ａ）に示すように、鉛直方向Ｂにおける発光部１０の角度姿勢を変更可能に設けられている。より詳しくは、鉛直方向可変機構１８は、通常照射方向角度（発光部１０が通常撮影位置Ｐ１にあるときの角度）と、ユーザによって設定され、通常照射方向角度とは異なる所望照射方向角度（発光部１０がバウンス撮影位置Ｐ２にあるときの角度）との間を含む範囲で鉛直方向Ｂにおける発光部１０の角度姿勢を変更可能に設けられている。本実施形態においては、鉛直方向可変機構１８は、鉛直方向１８０度の回転角度を有している。
【００２２】
水平方向可変機構１９は、図４（ｂ）に示すように、水平方向Ｆにおける発光部１０の角度姿勢を変更可能に設けられている。本実施形態においては、水平方向可変機構１９は、左右方向１８０度の回転角度を有している。
【００２３】
駆動部１３は、図２及び図３に示すように、鉛直方向可変機構１８を駆動する鉛直方向駆動部２０（図３参照）と、水平方向可変機構１９を駆動する水平方向駆動部２１（図２参照）とを備えている。
【００２４】
鉛直方向駆動部２０は、図３に示すように、鉛直方向可変機構１８を回転させる鉛直方向駆動モータである。水平方向駆動部２１は、図２に示すように、水平方向可変機構１９を回転させる水平方向駆動モータである。
【００２５】
角度検出部１４は、発光部１０に設けられ、鉛直方向Ｂにおける発光部１０の角度を検出する鉛直方向角度検出部２２と、水平方向Ｆにおける発光部１０の角度を検出する水平方向角度検出部２３とを備えている。
【００２６】
鉛直方向角度検出部２２は、３軸加速度センサで構成されている。３軸加速度センサは、ＸＹＺ軸の３方向の加速度を検出することができるセンサである。本実施形態に係る３軸加速度センサは、静止時の重力加速度を検出することにより、鉛直方向Ｂにおける発光部１０の傾斜角度を検出している。
【００２７】
水平方向角度検出部２３は、地磁気センサで構成されている。地磁気センサは、磁場（磁界）の大きさ・方向を検出することができるセンサである。本実施形態に係る地磁気センサは、発光部１０が向いている方位を検出することにより、水平方向Ｆにおける発光部１０の傾斜角度を検出している。
【００２８】
制御部１５は、各種演算処理を行う演算部２４と、各種情報を記憶する記憶部２５とを備えている。制御部１５は、ＣＰＵで構成されている。記憶部２５は、ＣＰＵ内蔵のＲＡＭ又はＲＯＭ、あるいはＣＰＵに外部接続されたＲＡＭ又はＲＯＭで構成されている。
【００２９】
距離センサ１７は、発光部１０と被写体Ｔとの間の距離Ｌａ（図６（ａ）参照）を取得可能な第１の測距手段としての距離センサと、発光部１１と天井Ｘなどの反射体との間の距離Ｌｂ（図６（ｂ）参照）を取得可能な第２の測距手段としての距離センサとを兼ねている。
【００３０】
距離センサ１７は、図６（ａ）に示すように、反射体と直交する方向（基準方向）に対する発光部１０の角度が被写体角度θ１のときの発光部１０と被写体Ｔとの間の距離Ｌａを第１の距離情報として測距する。また、距離センサ１７は、図６（ｂ）に示すように、上記基準方向に対する発光部１０の角度が反射体方向の角度θ２のときの発光部１０と反射体との間の距離Ｌｂを第２の距離情報として測距する。距離センサ１７は、発光部１０に設けられている。なお、距離センサ１７は一つではなく、第１の測距手段用と第２の測距手段用とに別々であってもよい。
【００３１】
ここで、制御部１５は、複数の反射体の中から特定の反射体を選択するモードを有している。本実施形態においては、図５に示すように、天井Ｘ、左側の壁Ｙ、右側の壁Ｚの三つの反射体の中からいずれか一つの反射体を選択可能となっている。選択は操作部１６におけるユーザインターフェイスを介して行うことができる。
【００３２】
以下、天井Ｘが反射体として選択された場合のバウンス角度の演算、及び発光部１０の角度のバウンス角度への設定の考え方を図６を参酌しつつ説明する。
【００３３】
まず、撮影者は、撮像装置１の撮影レンズの光軸方向を被写体Ｔに向けてシャッタ８を半押しする。撮像装置１の制御部４は、ストロボ装置２に対してバウンス撮影を開始する旨の信号を送信する。
【００３４】
ストロボ装置２の制御部１５は、撮像装置１の制御部４からバウンス撮影を開始すべき旨の信号を受信すると、鉛直方向駆動部２０で鉛直方向可変機構１８を駆動して発光部１０の鉛直方向Ｂの角度を変更する。このとき、制御部１５は、鉛直方向角度検出手段２２が検出した発光部１０の鉛直方向Ｂの角度に基づいて、発光部１０の鉛直方向Ｂの角度を被写体方向の角度θ１に変更する。発光部１０の鉛直方向Ｂの角度が被写体方向の角度θ１に変更されると、第１の測距手段としての距離センサ１７が発光部１０と被写体Ｔとの間の距離Ｌａを測距する。
【００３５】
距離Ｌａの測距が完了すると、制御部１５は、鉛直方向駆動部２０で鉛直方向可変機構１８を駆動して発光部１０の鉛直方向Ｂの角度を変更する。このとき、制御部１５は、鉛直方向角度検出手段２２が検出した発光部１０の鉛直方向Ｂの角度に基づいて、発光部１０の鉛直方向Ｂの角度を反射体方向の角度θ２に変更する。発光部１０の鉛直方向Ｂの角度が反射体方向の角度θ２に変更されると、第２の測距手段としての距離センサ１７が発光部１０と天井Ｘとの間の距離Ｌｂを測距する。
【００３６】
距離Ｌｂの測距が完了すると、制御部１５（の演算部２４）は、距離Ｌａと距離Ｌｂの情報に基づいてバウンス角度θ３を演算する。バウンス角度θ３は、例えば、ストロボ光の反射体への入射角と反射体からの反射光の出射角とが同じになるような角度である。
【００３７】
バウンス角度θ３の演算が完了すると、制御部１５は、鉛直方向駆動部２０で鉛直方向可変機構１８を駆動して発光部１０の鉛直方向Ｂの角度を変更する。このとき、制御部１５は、鉛直方向角度検出手段２２が検出した発光部１０の鉛直方向Ｂの角度に基づいて、発光部１０の鉛直方向Ｂの角度をバウンス角度θ３に変更する。
【００３８】
制御部１５は、ここまで自動で発光部１０を制御する。そして、撮影者がシャッタ８を全押すると、ストロボ装置２の発光部１０が発光し、被写体Ｔをバウンス撮影する。
【００３９】
このようにして、制御部１５（の演算部２４）は、第１の測距手段が取得した距離Ｌａ及び第２の測距手段が取得した距離Ｌｂに基づいてバウンス角度θ３を演算する。そして、制御部１５は、発光部１０の現在の角度姿勢に関係なく、演算部２４が演算したバウンス角度θ３と鉛直方向角度検出手段２２が取得した発光部１０の鉛直方向Ｂの角度情報とに基づいて、発光部１０の鉛直方向Ｂの角度がバウンス角度θ３となるように、鉛直方向駆動部２０を制御する。そのため、発光部１０は、正確にバウンス角度θ３に設定される。
【００４０】
左側の壁Ｙや右側の壁Ｚが反射体として選択された場合は、上記説明の「鉛直方向可変機構１８」、「鉛直方向駆動部２０」、「鉛直方向角度検出手段２２」及び「鉛直方向Ｂ」を「水平方向可変機構１９」、「水平方向駆動部２１」、「水平方向角度検出部２３」及び「水平方向Ｆ」に置き換えればいいので、詳細な説明は割愛する。
【００４１】
以上、本実施形態に係るストロボ装置２によれば、バウンス撮影で用いる反射体の選択肢を増やすことで、気に入った画像（あるいはストロボ光の好ましい照射条件）を得る可能性を高めることができる。また、反射体が異なるものに選択されれば、制御部１５は、直ちにその反射体を基準としたバウンス角度を演算し且つこの新たに求められたバウンス角度に基づいて発光部１０の角度を自動的に制御するため、即座にバウンス撮影を行うことができる。従って、シャッターチャンスを逃す機会を減らすことができる。
【００４２】
なお、本発明に係る撮像装置及びストロボ装置は、上記実施形態に限定されるものではなく、本発明の要旨を逸脱しない範囲内において種々変更を加え得ることは勿論である。
【産業上の利用可能性】
【００４３】
本発明に係る撮像装置及びストロボ装置は、複数の反射体の中から特定の反射体を選択するモードを有し、該モードにより選択された反射体を基準としたバウンス撮影のバウンス角度を自動的に演算すると共に、発光部をそのバウンス角度となるように自動的に制御する構成とすることにより、バウンス撮影で用いる反射体の選択肢を増やすことで、気に入った画像（あるいはストロボ光の好ましい照射条件）を得る可能性を高めることができることが必要な用途に適用できる。
【符号の説明】
【００４４】
１  撮像装置
２  ストロボ装置
４  制御部
８  シャッター
９  ストロボ本体部
１０  発光部
１２  可変機構
１３  駆動部
１４  角度検出部
１５  制御部
１７  距離センサ（第１の測距手段、第２の測距手段）
１８  鉛直方向可変機構
１９  水平方向可変機構
２０  鉛直方向駆動部
２１  水平方向駆動部
２２  鉛直方向角度検出部
２３  水平方向角度検出部
２５  記憶部
Ｂ  鉛直方向
Ｃ  照射方向
Ｆ  水平方向
Ｔ  被写体
Ｘ  天井（反射体）
Ｙ，Ｚ  壁（反射体）
【図１】
2014038268.tif 000003
【図２】
2014038268.tif 000004
【図３】
2014038268.tif 000005
【図４】
2014038268.tif 000006
【図５】
2014038268.tif 000007
【図６】
2014038268.tif 000008